(57)【特許請求の範囲】
【請求項１】
一酸化窒素を発生するための医療機器の作動方法であって、
前記医療機器は、呼吸センサと、酸素センサと、制御装置と、電極と、を備え、
前記方法は、
前記呼吸センサと前記酸素センサの少なくとも１つが、呼吸システムに付随する１つまたはそれ以上のトリガイベントに関連する情報を収集することと、
前記制御装置が、前記収集された情報に基づいて１つまたはそれ以上の制御パラメータを決定することと、
前記決定された制御パラメータに基づいて前記反応ガス内で一酸化窒素を発生させ、製品ガスを生産するために、前記電極が、スパークチャンバ内で一連の電気アークを起動することと
を含み、
収集された前記情報は、反応ガス中の酸素濃度に関する前記酸素センサからの情報を含み、
前記制御パラメータは、前記酸素センサおよび前記スパークチャンバと通信するように構成されたプロセッサの形態の前記制御装置が決定することを特徴とする方法。
【請求項２】
前記トリガイベントが、ガスの吸気又はガスの流れの少なくとも１つによる温度低下である、請求項１に記載の方法。
【請求項３】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項１に記載の方法。
【請求項４】
前記トリガイベントが発生する時、又は前記トリガイベントが発生するより予め規定された時間量だけ前、のいずれか1つの場合に、前記一連の電気アークが生成される、請求項１に記載の方法。
【請求項５】
パルス列が前記一連の電気アークを起動し、前記パルス列が、異なるパルス幅を含むパルスを含むパルス群を備える、請求項１に記載の方法。
【請求項６】
前記パルス群の１つの中の初期パルスのパルス幅が、前記パルス群の中の他のパルスよりも幅広い、請求項５に記載の方法。
【請求項７】
前記一連の電気アークが、低減したレベルの二酸化窒素またはオゾンを発生させるように構成された、請求項５に記載の方法。
【請求項８】
前記低減したレベルの二酸化窒素の濃度が、前記発生した一酸化窒素の濃度の２０％未満である、請求項７に記載の方法。
【請求項９】
前記呼吸システムが、気管切開チューブ、気管内チューブ、及び患者が装着できるマスクの少なくとも1つを含む、請求項１に記載の方法。
【請求項１０】
呼吸システムに付随する１つまたはそれ以上のトリガイベントに関連する情報を収集するための呼吸センサと、
反応ガス内の酸素濃度に関連する情報を収集するための酸素センサと、
前記呼吸センサ及び前記酸素センサからの前記収集された情報に基づいて１つまたはそれ以上の制御パラメータを決定するように構成された、前記呼吸センサ、前記酸素センサ、およびスパークチャンバと通信するプロセッサの形態の制御装置と、
前記制御装置から前記スパークチャンバに伝達された前記決定された制御パラメータに基づいて前記反応ガス内で一酸化窒素を発生させ、製品ガスを生産するために、前記スパークチャンバ内で一連の電気アークを起動するための電極と、を備える装置。
【請求項１１】
前記トリガイベントが、ガスの吸気による温度低下又は前記呼吸センサを通過するガスの流れの少なくとも１つである、請求項１０に記載の装置。
【請求項１２】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項１０に記載の装置。
【請求項１３】
前記トリガイベントが発生する時、又は前記トリガイベントが発生するより予め規定された時間量だけ前、のいずれか1つの場合に、前記電極が、前記一連の電気アークを生成する、請求項１０に記載の装置。
【請求項１４】
パルス列が前記一連の電気アークを起動し、前記パルス列が、異なるパルス幅を含むパルスを含むパルス群を備える、請求項１０に記載の装置。
【請求項１５】
前記パルス群の１つの中の初期パルスのパルス幅が、前記パルス群の中の他のパルスよりも幅広い、請求項１４に記載の装置。
【請求項１６】
前記一連の電気アークが、低減したレベルの二酸化窒素またはオゾンを発生させる、請求項１４に記載の装置。
【請求項１７】
前記低減したレベルの二酸化窒素の濃度が、前記発生した一酸化窒素濃度の２０％未満である、請求項１６に記載の装置。
【請求項１８】
前記呼吸システムが、気管、気管切開チューブ、気管内チューブ、及び患者が装着できるマスクの少なくとも１つを含む、請求項１０に記載の装置。
【請求項１９】
前記患者が装着できるマスクが、吸気ガス流を呼気ガス流から分離するための１つまたはそれ以上の弁を含む、請求項１８に記載の装置。
【請求項２０】
前記センサまたは前記電極が、気管の中に配置されるように構成されている、請求項１０に記載の装置。
【請求項２１】
前記電極が、貴金属、イリジウム、及びニッケルの少なくとも１つを含む、請求項１０に記載の装置。
【請求項２２】
一酸化窒素を生成するためのシステムが、哺乳動物の気管内に配置される装置であって、前記気管に付随する１つまたはそれ以上のトリガイベントに関連する情報を収集するための呼吸センサと、
反応ガス内の酸素濃度に関連する情報を収集するための酸素センサと、
前記反応ガス内で一酸化窒素を発生させ、製品ガスを生産するために、一連の電気アークを起動するための、スパークチャンバ内の１つまたはそれ以上の電極対と、を備える装置と、
前記呼吸センサおよび前記酸素センサによって収集された情報に基づいて、１つまたはそれ以上の制御パラメータを決定するように構成された、前記呼吸センサ、前記酸素センサ、および前記スパークチャンバと通信するプロセッサの形態の制御装置と
を備えるシステムであって、
前記一連の電気アークが、前記制御装置によって決定された前記制御パラメータに基づいて起動される、システム。
【請求項２３】
前記トリガイベントが、ガスの吸気による温度低下、及び、前記呼吸センサを通過するガスの流れの少なくとも１つである、請求項２２に記載のシステム。
【請求項２４】
１つまたはそれ以上のトリガイベントに関連する前記情報が、吸気の開始時間、吸気の一回呼吸量、吸気ガスの温度および反応ガス中の酸素濃度の１つまたはそれ以上を含む、請求項２２に記載のシステム。
【請求項２５】
前記トリガイベントが発生する時、又は前記トリガイベントが発生するより予め規定された時間量だけ前、のいずれか1つの場合に、前記電極が、前記一連の電気アークを生成する、請求項２２に記載のシステム。
【請求項２６】
パルス列が前記一連の電気アークを起動し、前記パルス列が、異なるパルス幅を含むパルスを含むパルス群を備える、請求項２２に記載のシステム。
【請求項２７】
前記パルス群の１つの中の初期パルスのパルス幅が、前記パルス群の中の他のパルスよりも幅広い、請求項２６に記載のシステム。
【請求項２８】
前記一連の電気アークが、低減したレベルの二酸化窒素またはオゾンを発生させる、請求項２６に記載のシステム。
【請求項２９】
前記低減したレベルの二酸化窒素の濃度が、前記発生した一酸化窒素の濃度の２０％未満である、請求項２８に記載のシステム。
【請求項３０】
前記電極が、貴金属、イリジウム、及びニッケルの少なくとも１つを含む、請求項２２に記載のシステム。
【請求項３１】
首の中の軟骨間リングの中に移植可能な装置であって、呼吸システムに付随する１つまたはそれ以上のトリガイベントに関連する情報を収集するための呼吸センサと、
反応ガス内の酸素濃度に関連する情報を収集するための酸素センサと、
前記呼吸センサ及び前記酸素センサからの前記収集された情報に基づいて、１つまたはそれ以上の制御パラメータを決定するように構成された、前記呼吸センサ、前記酸素センサ、およびスパークチャンバと通信するプロセッサの形態の制御装置と、
前記スパークチャンバ内部に存する１つまたはそれ以上の電極対であって、前記制御装置から前記スパークチャンバに伝達された前記決定された制御パラメータに基づいて一酸化窒素を発生させ、製品ガスを生産するために、一連の電気アークを起動するための１つまたはそれ以上の電極と
を備える装置であって、
前記スパークチャンバが、一酸化窒素に対して浸透性であり、二酸化窒素およびオゾンに対して不浸透性である膜によって外部環境から分離されている、装置。
【請求項３２】
前記膜から粘液を除去するための掃除手段を更に備える、請求項３１に記載の装置。
【請求項３３】
セルディンガー法を使用して、哺乳動物の気管内に移植可能な装置であって、呼吸システムに付随する１つまたはそれ以上のトリガイベントに関連する情報を収集するための呼吸センサと、
反応ガス内の酸素濃度に関連する情報を収集するための酸素センサと、
前記呼吸センサ及び前記酸素センサからの前記収集された情報に基づいて１つまたはそれ以上の制御パラメータを決定するように構成された、前記呼吸センサ、前記酸素センサ、およびスパークチャンバと通信するプロセッサの形態の制御装置と、
前記制御装置から前記スパークチャンバに伝達された前記決定された制御パラメータに基づいて一酸化窒素を発生させ、製品ガスを生産するために、前記スパークチャンバ内で一連の電気アークを起動するための１つまたはそれ以上の電極対と
を備える装置。
【発明の詳細な説明】
【技術分野】
【０００１】
優先権の主張
本出願は、２０１３年３月１５日に出願された米国特許第６１／７８９，１６１号明細書、および米国特許第６１／７９２，４７３号明細書の優先権を主張し、その内容の全体を本明細書に参照として組み込むものとする。
【０００２】
本発明は、吸気流によって引き起こされる一酸化窒素の合成に関する。
【背景技術】
【０００３】
一酸化窒素（ＮＯ）は、多くの生物学的システムにとって重要であり、血圧の制御の媒体となることで知られ、免疫システムが細胞に入る侵入寄生菌を殺すことを助け、がん細胞の分裂を抑制し、脳の細胞間に信号を伝達し、卒中またはハンチントン病を患う人々を衰弱させ得る脳細胞の大規模な死滅に貢献することで知られている。一酸化窒素は、例えば、血管壁、消化管および尿生殖路の壁の中に存在する平滑筋の弛緩をもたらす。吸入による肺への一酸化窒素ガスの投与が、全身の副作用をもたらさずに、成人および小児の気管支収縮、肺高血圧症、肺炎などを治療するために局部的な平滑筋の弛緩を生成することが示されてきた。
【０００４】
吸入された一酸化窒素は、灌流による換気の適合を改善する効能のある局所的肺血管拡張薬および気管支拡張薬であり、したがって、損傷した肺酸素運搬効率を上昇させ、動脈の酸素圧を高める。一酸化窒素は、数秒内に発生する急速な作用の開始と全身性血管拡張効果の非存在を兼ね備える。一旦吸入されると、一酸化窒素は肺血管系を通って血流の中に拡散し、ヘモグロビンと結合することによって急速に不活性化される。したがって、吸入された一酸化窒素の気管支拡張効果は気道に限定され、吸入された一酸化窒素の血管拡張効果は肺血管系に限定される。一酸化窒素の肺血管を拡張する能力は、急性または慢性の肺高血圧症の治療上の利点を選択的に提供する。
【０００５】
Ｚａｐｏｌの米国特許第５，３９６，８８２号は、医療目的のための、周囲圧力で空気から一酸化窒素（ＮＯ）の電気による生成を記載する。米国特許第５，３９６，８８２号に記載されるように、システムの空気入口が、電気アーク室の中に空気を連続的に導入するために使用される。電気的に生成されたＮＯが医療目的で使用される前に、ＮＯの生成中に形成される望ましくない副産物（例えば、二酸化窒素（ＮＯ2）およびオゾン（Ｏ3））は、例えば捕捉剤または触媒コンバータによって吸収される。
【０００６】
ＮＯは、酸素含有大気中で酸化して、ＮＯ2を形成する。ＮＯ2は、気道分泌物または細胞内で溶解する場合、硝酸塩を形成する有害な副産物である。低いレベルのＮＯ2と共にＮＯを生成することが、望ましいことが多い。
【先行技術文献】
【特許文献】
【０００７】
【特許文献１】米国特許第５，３９６，８８２号明細書
【発明の概要】
【０００８】
いくつかの態様では、方法が、呼吸システムに付随する１つまたはそれ以上のトリガイベントに関連する情報を収集することを含む。方法は、収集された情報に基づいて１つまたはそれ以上の制御パラメータを決定することを更に含む。方法は、決定された制御パラメータに基づいて一酸化窒素を発生させるために、一連の電気アークを起動することを更に含む。
【０００９】
実施形態は、以下の１つまたはそれ以上を含むことができる。トリガイベントが、ガスの吸気による温度低下であることができる。トリガイベントは、ガス流であることができる。１つまたはそれ以上のトリガイベントに関連する情報が、吸気の開始時間、吸気の一回呼吸量、吸気ガスの温度および反応ガス中の酸素濃度の１つまたはそれ以上を含むことができる。トリガイベントが発生する場合、一連の電気アークが生成され得る。トリガイベントが発生する前に、一連の電気アークが、予め規定された時間量で生成され得る。パルス列が一連の電気アークを起動することができ、パルス列が、異なるパルス幅を含むパルスを含むパルス群を備えることができる。パルス群の１つの中の初期パルスのパルス幅が、パルス群の中の他のパルスよりも幅広い可能性がある。一連の電気アークが、低減したレベルの二酸化窒素またはオゾンを発生させることができる。低減したレベルの二酸化窒素の濃度が、発生した一酸化窒素濃度の２０％、１０％、６％、または５％未満である。呼吸システムが、気管を含むことができる。呼吸システムが、気管切開チューブおよび気管内チューブの一方または両方を含むことができる。呼吸システムが、患者が装着できるマスクを含むことができる。
【００１０】
いくつかの追加の態様では、装置が、呼吸システムに付随する１つまたはそれ以上のトリガイベントに関連する情報を収集するための呼吸センサを含む。装置が、ガス中の酸素濃度に関連する情報を収集するための酸素センサを更に含む。装置が、収集された情報に基づいて１つまたはそれ以上の制御パラメータを決定するための制御装置を更に備える。装置が、決定された制御パラメータに基づいて一酸化窒素を発生させるために、一連の電気アークを起動するための電極を更に含む。
【００１１】
実施形態は、以下の１つまたはそれ以上を含むことができる。トリガイベントが、ガスの吸気による温度低下であることができる。トリガイベントが、呼吸センサを通過するガス流であることができる。１つまたはそれ以上のトリガイベントに関連する情報が、吸気の開始時間、吸気の一回呼吸量、吸気ガスの温度および反応ガス中の酸素濃度の１つまたはそれ以上を含むことができる。トリガイベントが発生する場合、電極が、一連の電気アークを生成することができる。トリガイベントが発生する前に、電極が、予め規定された時間量で一連の電気アークを生成することができる。パルス列が一連の電気アークを起動することができ、パルス列が、異なるパルス幅を含むパルスを含むパルス群を備えることができる。パルス群の１つの中の初期パルスのパルス幅が、パルス群の中の他のパルスよりも幅広い可能性がある。一連の電気アークが、低減したレベルの二酸化窒素またはオゾンを発生させることができる。低減したレベルの二酸化窒素の濃度が、発生した一酸化窒素濃度の２０％、１０％、６％、または５％未満である。呼吸システムが、気管を含むことができる。呼吸システムが、気管切開チューブおよび気管内チューブの一方または両方を含むことができる。呼吸システムが、患者が装着できるマスクを含むことができる。患者が装着できるマスクが、吸気ガス流を呼気ガス流から分離するための１つまたはそれ以上の弁を含むことができる。センサまたは電極は、気管の中に配置されるように構成され得る。電極が、貴金属を含むことができる。電極が、イリジウムを含むことができる。電極が、ニッケルを含むことができる。
【００１２】
いくつかの追加の態様では、一酸化窒素を生成するためのシステムが、哺乳動物の気管内に配置された装置を含む。装置が、気管に付随する１つまたはそれ以上のトリガイベントに関連する情報を収集するための呼吸センサを含む。装置が、ガス中の酸素濃度に関連する情報を収集するための酸素センサを更に含む。１つまたはそれ以上の電極対が、一酸化窒素を生成するために、一連の電気アークを起動するための装置の中に含まれる。一酸化窒素を生成するためのシステムが、呼吸センサおよび酸素センサによって収集された情報に基づいて、１つまたはそれ以上の制御パラメータを決定するための制御装置を更に含み、一連の電気アークが、制御装置によって決定された制御パラメータに基づいて起動される。
【００１３】
実施形態は、以下の１つまたはそれ以上を含むことができる。トリガイベントが、ガスの吸気による温度低下であることができる。トリガイベントが、呼吸センサを通過するガス流であることができる。１つまたはそれ以上のトリガイベントに関連する情報が、吸気の開始時間、吸気の一回呼吸量、吸気ガスの温度および反応ガス中の酸素濃度の１つまたはそれ以上を含むことができる。トリガイベントが発生する場合、電極が、一連の電気アークを生成することができる。トリガイベントが発生する前に、電極が、予め規定された時間量で一連の電気アークを生成することができる。パルス列が一連の電気アークを起動することができ、パルス列が、異なるパルス幅を含むパルスを含むパルス群を備えることができる。パルス群の１つの中の初期パルスのパルス幅が、パルス群の中の他のパルスよりも幅広い可能性がある。一連の電気アークが、低減したレベルの二酸化窒素またはオゾンを発生させることができる。低減したレベルの二酸化窒素の濃度が、発生した一酸化窒素濃度の２０％、１０％、６％、または５％未満である。電極が、貴金属を含むことができる。電極が、イリジウムを含むことができる。電極が、ニッケルを含むことができる。
【００１４】
いくつかの追加の態様では、首の中の軟骨間リングの中に移植可能な装置が、呼吸システムに付随する１つまたはそれ以上のトリガイベントに関連する情報を収集するための呼吸センサを含む。装置が、ガス中の酸素濃度に関連する情報を収集するための酸素センサを更に含む。装置が、収集された情報に基づいて１つまたはそれ以上の制御パラメータを決定するための制御装置を更に備える。１つまたはそれ以上の電極対が、装置の中に含まれ、スパークチャンバ内部に存し、決定された制御パラメータに基づいて一酸化窒素を発生させるために、一連の電気アークを起動するための電極であって、スパークチャンバが、一酸化窒素に対して浸透性であり、二酸化窒素およびオゾンに対して不浸透性である膜によって外部環境から分離されている。
【００１５】
実施形態は、以下の１つまたはそれ以上を含むことができる。装置が、膜から粘液を除去するための掃除手段を更に備えることができる。
【００１６】
いくつかの追加の態様では、セルディンガー法を使用して、哺乳動物の気管内に移植可能な装置が、呼吸システムに付随する１つまたはそれ以上のトリガイベントに関連する情報を収集するための呼吸センサを含む。装置が、ガス中の酸素濃度に関連する情報を収集するための酸素センサを更に含む。装置が、収集された情報に基づいて１つまたはそれ以上の制御パラメータを決定するための制御装置を更に備える。１つまたはそれ以上の電極対が、決定された制御パラメータに基づいて一酸化窒素を発生させるために、一連の電気アークを起動するための装置の中に含まれる。
【００１７】
本発明の１つまたはそれ以上の実施形態の詳細を添付の図面および以下の説明の中で説明する。本発明の他の特徴、目的および利点が、説明および図面、ならびに特許請求の範囲から明らかになるであろう。
【図面の簡単な説明】
【００１８】
【図１】ＮＯを生成するためのシステムのブロック図である。
【図２Ａ】ＮＯ発生器の例を示す。
【図２Ｂ】ＮＯ発生器の例を示す。
【図２Ｃ】ＮＯ発生器の例を示す。
【図２Ｄ】ＮＯ発生器の例を示す。
【図３】パルス列およびパルス群の表示を示す。
【図４】呼吸センサの部分の例の回路図である。
【図５】呼吸センサからの電圧時系列の例を示す。
【図６Ａ】毎秒のスパークの関数として平均電流および平均電圧を示す。
【図６Ｂ】毎秒のスパークの関数として平均電力を示す。
【図７Ａ】１スパーク／秒放電の２スパーク中の電圧および電流のトレースを示す。
【図７Ｂ】１スパーク／秒放電の２スパーク中の電圧および電流のトレースを示す。
【図８】様々な電極材料を使用するＮＯ濃度およびＮＯ2濃度を示す。
【図９】様々な反応ガス酸素濃度で、ＮＯ濃度およびＮＯ2濃度を示す。
【図１０】様々な反応ガス酸素濃度で、ＮＯ濃度およびＮＯ2濃度を示す。
【図１１】様々な反応ガス酸素濃度で、ＮＯ濃度およびＮＯ2濃度を示す。
【図１２】様々な酸素濃度でオゾンレベルを示す。
【図１３】様々な酸素濃度でオゾンレベルを示す。
【図１４】様々な酸素濃度でオゾンレベルを示す。
【図１５】様々な酸素濃度でオゾンレベルを示す。
【図１６】様々な反応ガス酸素濃度で、ＮＯ濃度およびＮＯ2濃度を示す。
【図１７】注入期間に亘って平均肺動脈圧を示す。
【図１８】様々な吸入酸素濃度（ＦｉＯ2）で、ＮＯ濃度およびＮＯ2濃度を示す。
【図１９】様々な吸入酸素濃度（ＦｉＯ2）で、平均肺動脈圧を示す。
【図２０】様々な吸入酸素濃度（ＦｉＯ2）で、ＮＯ濃度およびＮＯ2濃度を示す。
【図２１】様々な吸入酸素濃度（ＦｉＯ2）で、での平均肺動脈圧を示す。
【図２２】様々な一回呼吸量で、平均肺動脈圧を示す。
【図２３】様々な一回呼吸量で、ＮＯ濃度およびＮＯ2濃度を示す。
【図２４】様々な大気圧で、低圧室の中のＮＯレベルおよびＮＯ2レベルを測定するためのテスト設定を示す。
【図２５】様々な大気圧でＮＯレベルおよびＮＯ2レベルを示す。
【図２６】注入期間に亘って平均肺動脈圧を示す。
【図２７】ＮＯ呼吸中の平均肺動脈圧を示す。
【図２８】吸気時に引き起こされるスパーク中の平均肺動脈圧を示す。
【図２９】連続的スパーク中の平均肺動脈圧を示す。
【図３０】羊の気道内に設置されたスパークプラグの図である。
【図３１】肺血管収縮薬Ｕ４６６１９の注入期間中の平均肺動脈圧を示す。
【図３２】ＮＯ呼吸中の平均肺動脈圧を示す。
【図３３】吸気時に引き起こされるスパーク中の平均肺動脈圧を示す。
【図３４】羊の気道シミュレータを用いるベンチテスト設定を示す。
【図３５】回路間隙を含む修正されたミニスパークプラグを使用して、一定反応ガス流量下でＮＯ生成を示す。
【図３６】回路間隙を含む修正されたミニスパークプラグを示す。
【図３７】流れ図である。
【図３８】本明細書に説明する操作および技術を実施するために使用され得るコンピュータデバイスおよびモバイルコンピュータデバイスの例を示す。
【発明を実施するための形態】
【００１９】
様々な図面の中の同じ符号は、同じ要素を示す。
【００２０】
本明細書に説明するように、一酸化窒素の電気合成は、吸気時に（または吸気前に）起動されて、治療上使用のために、原位置で要求に応じて一酸化窒素の生成を提供する。図１は、呼吸システム内でＮＯを生成するためのシステム１００の例を示す。いくつかの例では、呼吸システムは、数個の例を挙げれば、哺乳動物の気管、呼吸マスク、鼻カニューレ、人工呼吸器または麻酔機械を含む。反応ガス（例えば、空気、または窒素内の２０から９０％酸素混合気）が、ＮＯ発生器１０２の中に入り、製品ガス（ＮＯを含む）が、ＮＯ発生器１０２を出る。ＮＯ発生器１０２は、電極１０６、呼吸センサ１０８および制御装置１１０を含む。反応ガスが空気ではないガスである場合、ＮＯ発生器１０２は、酸素センサ１１２を含むことができる。酸素センサ１１２は、反応ガス内の酸素濃度を検出するように構成されている電極であることができる。本明細書に説明するように、電極１０６は、反応ガスの存在の中でスパークを発生して、ＮＯ１０４を生成する。
【００２１】
いくつかの実施形態では、ＮＯ発生器１０２は携帯型または装着型である。例えば、図２Ａは哺乳動物の気管の中に存することができるＮＯを生成するためのＮＯ発生器２００の例を示す。装置は、ファイバ気管支鏡と共に咽頭内に配置され、気管壁に固定されることが可能である。図２Ａは、気管２０２の横断面図であり、気管切開または気管内チューブ２０４が、気管２０２内に配置されている。ＮＯ発生器２００が、気管切開または気管内チューブ２０４に結合されている。ＮＯ発生器２００は、電極２０６および呼吸センサ２０８を含む。いくつかの例では、ＮＯ発生器２００が、酸素センサ２０９を含む。ＮＯ発生器２００は、電極２０６、呼吸センサ２０８および酸素センサ２０９に結合されている制御装置２１０を含むことができる。いくつかの例では、制御装置２１０は、ＮＯ発生器２００から分離している。ＮＯ発生器２００は、２つ以上の呼吸センサ２０８を含むことができる。
【００２２】
いくつかの例では、電極２０６は、スペアを提供するという安全上の目的から二重にすることが可能である。電極２０６は、増加した電力、および大きい一回呼吸量を含むＮＯ生成のために、二重または三重にすることができる。
【００２３】
電極、給電装置およびセンサワイヤは、気管切開または気管内チューブ２０４の壁の中に埋設され得る。電極は、チューブ内部に配置可能であり、またはチューブの壁内の小さい容器または保護管の中に配置可能である。容器は、粘液または呼吸分泌物から電極を遮蔽するために微孔性膜によって被覆されているスパーク反応チャンバであってもよい。膜は、水蒸気を通さずに、ＮＯを通すＤＭＰＳなど半透性膜（選択透過性）であってもよい。膜は、ＮＯ2を通さずにＮＯを通すための任意の膜であってもよい。ＮＯが内腔の中に拡散することを妨げる粘着性粘液または呼吸分泌物を除去するために、小さい内側スクレーパが、膜の上を覆って配置され得る。スクレーパは、外部から制御可能である。
【００２４】
制御装置２１０は、ユーザから内部または外部にあることができる。例えば、制御装置２１０は、ユーザに結合可能であり（例えば、腕バンドまたはベルト）、またはユーザの皮下に移植可能である。電極２０６、呼吸センサ２０８、および導線２１２が、気管切開または気管内チューブ２０４の壁の中に埋設可能であり、あるいは気管切開または気管内チューブ２０４の内側に配置可能であり、またはその外側に付着可能である。導線２１２は、不活性材料によって絶縁され得る。導線２１２は、電極２０６および呼吸センサ２０８に接続され得る。いくつかの例では、導線２１２は、軟骨気管リング間に針穿刺を介して別個に配置され得る（セルディンガー法）。
【００２５】
呼吸センサ２０８は、例えば、圧力センサ、温度センサ、ガス流速センサ（例えば、熱線式風速計）、一回呼吸量センサ、腹部または胸部プレチスモグラフィバンド（Ｒｅｓｐｉｔｒａｃｅ（商標））などの１つまたはそれ以上であってもよい。いくつかの場合、電極２０６および／または呼吸センサ２０８は、シールド２１４によって少なくとも部分的に被覆されている。シールド２１４は、気管切開または気管内チューブ２０４のバルーン２１６の近傍に配置可能であり、気道を感電から絶縁し、電極２０６および呼吸センサ２０８を清潔に保つように設計可能である。
【００２６】
いくつかの場合、自動化された、または自動化されていない掃除装置、ブラシ、スプレーパ、研磨機または他の洗浄装置がシールド２１４に結合されている。シールド２１４は、例えばポリ四フッ化エチレンなどの微孔性膜などのフィルタ、あるいはＰＤＭＢ、またはポリメチルペンテン（ＰＭＰ）などの拡散性であるが、選択透過性膜を更に含むことができて、電極２０６で生成される副産物（例えば、ＮＯ2およＯ3）が、気道の中に入らないようにする。フィルタまたは膜は、気道内の粒子状物質または蒸気が電極２０６および呼吸センサ２０８に接触しないように保つこともできる。
【００２７】
図２Ｂは、気管切開または気管内チューブ２０４に結合されているＮＯ発生器２００用の代替配置の例を示す。この例では、シールド２１４が、選択透過性膜２１８を含む。電極２０６が存する領域（例えば、ＮＯ発生器２００の内部）は、スパークチャンバと呼ばれる。選択透過性膜２１８は、約１０〜５０ミクロンの厚さであることができ、支持メッシュに固定され得る。選択透過性膜２１８は、ＮＯがＮＯ発生器２００（例えば、スパークチャンバ）から気道まで通過することを許容するが、一方でＮＯ2およびＯ3がＮＯ発生器２００（例えば、スパークチャンバ）から気道まで通過することを防止する。選択透過性膜２１８は、水蒸気が気道からＮＯ発生器２００まで通過することを防止することもできる。いくつかの例では、選択透過性膜２１８は、微孔性膜であることができる。この例では、呼吸センサ２０８は、気管切開または気管内チューブ２０４の中に存する。しかし、呼吸センサ２０８は、図２Ａを参照して説明するように、ＮＯ発生器２００の中に存することも可能である。いくつかの例では、掃除装置が、ＮＯ発生器２００に結合される。掃除装置は、選択透過性膜２１８から粘液を除去するように構成されている。掃除装置は、自動化され得る。
【００２８】
図２Ｃは、患者が装着できるマスク２２２に取り付けられている、ＮＯを生成するためのＮＯ発生器２２０の例を示す。ＮＯ発生器２２０部分は、図２ＡのＮＯ発生器２００の中と同様に、例えば鼻孔後方の前庭内など、鼻腔内に配置され得る。マスク２２２は、呼吸システムの部分であることができる。マスク２２２は、ユーザの顔の上方に配置されるように構成されており、電極２２８および呼吸センサ２３０がマスク２２２に結合され、ユーザの鼻孔近傍に配置されている。いくつかの例では、ＮＯ発生器２２０が、酸素センサ２３４を含む。ＮＯ発生器２２０は、マスク２２２の中に供給する吸気導管２４０の中に存することができる。マスク２２２は、吸気導管２４０からの吸気ガス流を呼気導管２４２を通る呼気ガス流から分離するために、１つまたはそれ以上の弁（例えば、吸気弁２３６または呼気弁２３８）を含むことができる。制御装置２３２が、ＮＯ発生器２２０に結合され得る。制御装置２３２は、マスク２２２またはユーザに結合され得る。いくつかの例では、電極２２８および呼吸センサ２３０が、ユーザの鼻孔の中に配置され得る。ＮＯ発生器２２０は、図２ＡのＮＯ発生器２００に関して上記に説明するように機能する。マスク２２２の入口は、１つまたはそれ以上の弁、吸気導管および呼気導管を有することができる。ＮＯ発生器２２０は、吸気導管の中に配置され得る。
【００２９】
図２Ｄは、気管２５２の中に存することができるＮＯを生成するためのＮＯ発生器２５０の例を示す。いくつかの例では、ＮＯ発生器２５０は、セルディンガー法を使用して移植できるように十分小さい。ＮＯ発生器２５０は、電極２５４および呼吸センサ２５６を含む（例えば、サーミスタを含む）。ＮＯ発生器２５０は、感電から気道を絶縁するため、かつ電極２５４および呼吸センサ２５６を清潔に保つためにシールド２５８によって被覆され得る。ＮＯ発生器は、膜２６０を更に含むことができる。膜２６０は、ＮＯがＮＯ発生器２５０から気道まで通過することを許容することができるが、一方でＮＯ2およびＯ3がＮＯ発生器２５０から気道まで通過することを防止する選択透過性膜であることができる。選択透過性膜２６０は、水蒸気が気道からＮＯ発生器２５０まで通過することを防止することもできる。ワイヤ２６２が、電源２６４をＮＯ発生器２５０に結合することができる。ワイヤ２６２は、感電から組織を保護するために絶縁され得る。制御装置（例えば、制御装置２６６）は、ＮＯ発生器２６６と通信するように構成され得る。制御装置２６６は、ＮＯ発生器２５０と無線で通信するように構成され得る。いくつかの例では、ＮＯ発生器２５０は、制御装置２６６を含み、制御装置２６６は気管２５２の内部に存する。
【００３０】
図２Ａに戻って参照すると、本明細書に説明するように、ＮＯ発生器２００は、いくつかの例で呼吸センサ２０８によって検出されるトリガイベント（例えば、ガス流の体積およびタイミング、吸気ガス温度の変化または圧力の変化）に基づいて、哺乳動物の気管内でＮＯを発生するように作動する。制御装置２１０は、呼吸センサ２０８に作動可能に結合されており、制御装置２１０内の電圧源のトリガに連係して、一連の電気パルスを電極２０６に搬送し、それによって吸気中に哺乳動物の気管内にＮＯを発生させる。制御装置２１０は、呼吸センサ２０８から収集される情報に基づいて、１つまたはそれ以上の制御パラメータを決定することができる（例えば、１つまたはそれ以上のトリガイベントに関連する情報）。制御装置２１０は、一連のスパークを起動し、スパーク持続時間、スパーク周期などの制御パラメータを制御するように構成可能であって、必要な量のＮＯおよび最小の量のＮＯ2を発生させることができる。いくつかの例では、制御装置２１０の中の電圧源は、一次電池、充電式電池または圧電型発電機であることができる。
【００３１】
制御装置２１０は、酸素センサ（例えば、図１の酸素センサ１１２）から受信した情報に基づいて、１つまたはそれ以上の制御パラメータを決定することができる。例えば、決定された制御パラメータは、反応ガス中の酸素濃度に基づくことができる。
【００３２】
いくつかの例では、呼吸センサ２０８は、吸気ガスの一回呼吸量を測定するように構成されている。制御装置２１０は、吸気ガス体積測定結果に基づいて、１つまたはそれ以上の制御パラメータを決定することができる。例えば、制御パラメータは、吸気の実際の、または期待される体積に基づくことができる。
【００３３】
成人は、通常毎分１０〜２０回呼吸し、各呼吸は３〜６秒の持続時間を有する。典型的には、呼吸の持続時間の約１／２〜１／３は、吸気である。平均して、各呼吸は、約５００ｍｌの一回呼吸量を有する。小児では、各呼吸は典型的にはより少ない体積を有するが、しかし呼吸がより高い割合で発生する。
【００３４】
吸気の期待される体積は、前の一回呼吸量測定結果を使用して計算され得る。例えば、制御装置２１０は、次の吸気の期待される一回呼吸量が、直近の吸気の一回呼吸量の測定結果と同じになるように決定することができる。
【００３５】
制御装置２１０は、次の吸気の期待される一回呼吸量を決定するために、いくつかの前の吸気の一回呼吸量を平均することもできる。いくつかの例では、機械換気が、換気を支持するためのマスクを介して加えられる。それらの場合、吸気の吸気体積およびタイミングが、換気装置から制御装置に供給されることが可能である。
【００３６】
図３は、制御装置２１０によって引き起こされるパルス列３００の表示を示す。制御装置２１０は、パルス列を生成するために１つまたはそれ以上の制御パラメータを決定することができる。図３は、パルス列３０２のパルス群３０２の１つの拡大図を更に示す。電気パルスが電極２０６に搬送され、電極２０６は、一連のスパーク（電気アークと呼ばれることもある）を生成する。パルスのタイミング（およびその結果発生するスパーク）は、制御装置２１０によって制御され、必要な量のＮＯを製造する一方で、最小のＮＯ2およびＯ3を製造するように最適化され得る。複数のスパークがパルス群を形成し、複数のパルス群がパルス列を形成する。したがって、パルス列３０２が、一連の電気アークを起動する。
【００３７】
変数ＢおよびＮが、電極２０６によって生成されるエネルギー全体を制御する。変数Ｎがパルス群毎のスパーク数を定め、変数Ｂが毎秒のパルス群の数を定める。ＢおよびＮの値が、生成されるＮＯ、ＮＯ2およびＯ3の量に影響を及ぼす。ＢおよびＮの値は、電極２０６によって製造される熱の量にも影響を及ぼす。ＢまたはＮのどちらかのより大きい値が、より多くのＮＯを生成し、電極２０６により多くの熱を生成させる。
【００３８】
変数Ｅ、Ｆ、ＨおよびＰが、各パルス群の中で製造されるスパークのタイミングを制御する。変数Ｈは、パルスの高時間である（例えば、制御装置２１０の電圧源が各電気パルスに対して起動される時間の量）。高時間は、パルス幅と呼ばれることがある。Ｐは、パルス間の時間量である。したがって、Ｐ−Ｈは、パルスが全く発生しない期間を表す（例えば、制御装置２１０の電圧源が起動していない）。Ｈの値が大きいほど、かつＰの値が小さいほど、電極２０６はより多くのエネルギーを生成する。電極２０６がスパークを生成する場合、プラズマが確立される。プラズマの温度は、電極２０６によって生成されるエネルギーの量に比例する。
【００３９】
ＮＯおよびＮＯ2が生成される化学反応は、プラズマ温度の作用である。すなわち、より高いプラズマ温度によって、より多くのＮＯおよびＮＯ2が製造される。しかし、製造されるＮＯおよびＮＯ2の相対的比率は、異なるプラズマ温度に亘って変化する。いくつかの例では、パルス群の中の最初の２つのパルスによって生成されるスパークが、プラズマを確立する。最初の２つのスパークが、パルス群の中の残りのパルスによって製造されるスパークよりも長い高時間を有することができる。最初の２つのパルスが延長される時間量が、変数ＥおよびＦによってそれぞれ示されている。最初の２つのパルスを過ぎて、パルスによって生成されるスパークは、プラズマを維持するためにより少ないエネルギーを必要とし、その結果、その後に続くパルス（変数Ｈによって示される）の高時間がより短くなって、プラズマ温度が高くなり過ぎることを防止することができる。例えば、相対的に高いプラズマ温度によって、ＮＯ、ＮＯ2およびＯ3がより多く製造されるという結果をもたらすと同時に、相対的に高いプラズマ温度は、所望の比率のＮＯおよびＮＯ2を生成するために理想的ではない可能性がある。
【００４０】
多くの因子が、製造されるＮＯ、ＮＯ2およびＯ3の量および比率に影響を及ぼす可能性がある。例えば、電極２０６の材料が、特定のスパークを生成するためにどれくらいのエネルギーが必要であるを決定する際に重要な役割を果たす。貴金属を含む電極は、低いＮＯ2／ＮＯ比率を製造することができる。いくつかの例では、図８に示すように、タングステン電極が相対的に高いＮＯ2／ＮＯ比率を製造し、ニッケル電極がより低いＮＯ2／ＮＯ比率を製造し、イリジウム電極が更により低いＮＯ2／ＮＯ比率を製造する。
【００４１】
生成される各スパークは、特定の量のＮＯを生成する。ＮＯは、吸気されるガスの体積の中で希釈される。吸気ガス内のＮＯ濃度が期待される十分なレベルであることを保証して、所望の生理学的効果を生成するために、制御装置２１０は、呼吸センサ２０８から吸気ガスの一回呼吸量に関連する情報を受信して、適切なＮＯ濃度を保つように制御パラメータを決定する。
【００４２】
制御装置２１０の実施は、デジタル電子回路、またはコンピュータソフトウェア、ファームウェアまたはハードウェアを含むことができ、本明細書に開示する構造、およびその構造的均等物、またはそれらの１つまたはそれ以上の組合せを含む。例えば、制御装置２１０は、コントローラ（またはコントロールシステム）に基づくマイクロプロセッサ、ならびにコントローラ（またはコントロールシステム）に基づく電子機械であることができる。
【００４３】
制御装置２１０の中の命令および／または論理は、１つまたはそれ以上のコンピュータプログラムとして実施可能であり、すなわちデータ処理装置によって実施するため、またはデータ処理装置の作動を制御するためにコンピュータ記憶媒体上に符号化されている、コンピュータプログラム命令の１つまたはそれ以上のモジュールとして実施可能である。別法として、または追加的に、プログラム命令は、データ処理装置によって実行するために適切な受信装置に伝送するための情報を符号化するために生成される、人工的に生成された伝播される非一時的信号、例えば、機械生成される電気信号、光信号、または電磁信号などの上に符号化され得る。
【００４４】
制御装置２１０は、クライアントおよびサーバおよび／またはマスタコントローラおよびスレーブコントローラを含むことができる。クライアントおよびサーバは、一般に互いから離れており、典型的には通信ネットワークを通してやりとりを行う。クライアントおよびサーバの関係は、各コンピュータ上に走り、互いにクライアントーサーバ関係を有するコンピュータプログラムによって発生する。いくつかの態様では、制御装置２１０は、通信要素（例えば、有線または無線）を通ってＮＯ発生器２００の各構成要素と通信可能に接続される主コンピュータ（例えば、マスタ）を代表する。
【００４５】
制御装置２１０は、ＮＯ発生器２００と無線で（例えば、Ｂｌｕｅｔｏｏｔｈ（登録商標）を介して）通信するように構成され得る。制御装置２１０は、外部装置（例えば、コンピュータ、タブレット、スマートフォンなど）と通信するようにも構成され得る。次いで、外部装置は、制御装置２１０の機能を実施するために、または制御装置２１０が機能を実施するのを助けるために使用され得る。
【００４６】
いくつかの例では、制御装置２１０は、一連のスパークが生成される間、前または後で、ＮＯ発生器２００の特定の構成要素を無効にすることができる。いくつかの例では、制御装置２１０は、ｉ）意図しないスパークを検出し、停止する、ｉｉ）一連の電気アークを引き起こす前に一連のスパークが安全であることを確認する、ｉｉｉ）可変タイミングの破損を検出するために、各一連のスパークが生成される後、タイミング値のバックアップ・コピーに対してタイミング値が点検されることを確認する、ｉｖ）可変タイミングのバックアップ・コピーが破損しているかどうかを決定する、という特徴を更に含むことができる。
【００４７】
いくつかの例では、ＮＯ発生器２００は、鼻チューブ、気管切開チューブなどと共に配置され、または含まれることが可能である。電極２０６および呼吸センサ２０８は、洗浄可能、または交換可能であってもよい。いくつかの例では、電極１０６および呼吸センサ２０８は、気管切開または気管内チューブ２０４から取り外され、洗浄または交換され得る。
【００４８】
ＮＯ発生器２００内で吸気時のスパークによって、電気的に合成された新たなＮＯによる吸気ガスのボーラス投与の最前部を識別する。いくつかの例では、吸気の開始時にだけＮＯを発生させることが望ましい。このことが、新たに生成されたＮＯの量を最小にし、環境汚染を低減し、肺血管（肺胞および末梢気道）を活発に拡張することができる終末細気管支および肺胞気の中に、希釈せずに最も急速にＮＯを効果的に搬送する。短い時間の後、ＮＯはＮＯ2に酸化し始め、ＮＯ2は水の中に溶解するとき、硝酸および硝酸塩を形成する。ユーザが吸引する用意ができるかなり前にＮＯが製造される場合、ＮＯは、吸入時までに酸化される可能性がある。硝酸および硝酸塩は、ＮＯ発生器２００の構成要素ならびに気道および肺組織に損傷を与える可能性がある。
【００４９】
いくつかの例では、一回投与量を増加させるために、呼気の終わりに、吸気が開始する少し前にＮＯを発生させることが望ましい可能性がある。これは、プレトリガと呼ばれることがある。トリガイベントが発生する前に、制御装置２１０が、予め規定された時間量で一連の電気アークを起動することができる。吸気ガスの体積が大きい場合、または高い濃度の吸入されるＮＯが所望される場合、そのようなプレトリガが必要である可能性がある。制御装置２１０は、吸気タイミングおよび吸気ガスの体積を追跡し、次の吸気のタイミングを予測するために前のタイミングを使用することができる。追跡された情報は、次の吸気が発生する時の推定を提示する、予め規定された時間量を計算するために使用され得る。いくつかの例では、制御装置２１０は、概ねトリガイベントが発生する時に（例えば、トリガイベントのわずかに前、またはわずかに後に）、一連の電気アークを起動することができる。プレトリガは、吸気ガスの中により大きいＮＯ濃度を最終的に搬送するように最適化され得る。
【００５０】
スパークは、複数の方法で吸気の開始時に引き起こされ得る。いくつかの例では、呼吸センサ２０８は、吸気を検出する。呼吸センサ２０８は、気道内に、電極２０６の近傍に配置される高速応答サーミスタを含むことができる。呼吸センサ２０８は、温度の変化を感知することができる（吸気は呼気よりもわずかにより低温であることが多い）。したがって、低温の吸気ガスは一連のスパークを引き起こすことができる。すなわち、吸気または吸気の部分が、トリガイベントであることができる。より詳細には、空気の吸気による温度低下が、トリガイベントであることができる。
【００５１】
異なる種類の回路が、ＮＯ発生器２００およびその構成要素の中に組み込まれることができる。図４は、吸気を検出するために使用され得る呼吸センサ２０８の部分の例の回路図４００を示す。呼吸センサ２０８は、気道内の空気の温度を監視することができる。呼吸センサは、サーミスタ４０２を含むことができる。サーミスタ４０２の抵抗は、冷却されるときに増加し、加温されるときに減少する。
【００５２】
この例では、呼吸センサ２０８は、サーミスタ４０２および別の抵抗を含む分圧器として設置される。代替構成は、他の抵抗とブリッジ構成で、サーミスタを使用することである。吸気中、室温または吸気温度のガスが、サーミスタ４０２を通過して吸入される。呼気中、典型的には室温よりも暖かいガス（例えば、体温のガス、または体温に近いガス）が、サーミスタ４０２を通過する。すなわち、通常の作動中、サーミスタ４０２は、吸気中に抵抗が増加し、呼気中に抵抗が減少する。サーミスタ４０２の抵抗の変化によって、分圧器の中間ノード内で電圧の変化をもたらす。この電圧の変化は、１つまたはそれ以上の増幅器によって修正され得る。
【００５３】
呼吸センサ２０８は、分圧器の電圧の変化に比例する電圧を出力する微分器を含むことができる。この電圧が、制御装置２１０に送られ、デジタル電圧値に変換され得る。制御装置２１０は、吸気の開始を決定するためにデジタル電圧値を使用することができる。別法として、微分器の出力は、増幅器によって修正され、次いでシュミットトリガの中に供給され得る。シュミットトリガは、電圧をデジタル電圧値に変換し、ヒステリシスを生成することができる。ヒステリシスは、吸気期間の終わり近くに見られる小さい温度減少（無視されることになる）と、吸気期間の開始時に見られるより大きい温度減少（関心事である）との間の区別をすることに役立つことができる。デジタル電圧値は、制御装置２１０に送信されることができ、それが吸気の開始を認識することができる。
【００５４】
図５は、呼吸センサ２０８の電圧時系列５００の例の図である。上記に説明するように、吸気中、相対的に低温の吸入ガスがサーミスタ４０２を通過する。低温の吸入ガスが、サーミスタの抵抗を増加させ、それによって、領域５０２の中で表すように、分圧器の中間ノードで電圧が増加する。吸気中、深部体温（約３７℃）に近い相対的に暖かいガスが、サーミスタ４０２を通過する。暖かいガスが、サーミスタの抵抗を減少させ、それによって、領域５０４の中で表すように、分圧器の中間ノードで電圧が減少する。
【００５５】
いくつかの例では、呼吸センサ２０８は、圧力を感知することができる電極２０６近傍の領域に隣接しているチューブであることができる。自発的呼吸は下気道および胸腔内圧によって引き起こされるが、一方、機械換気は気道陽圧（肺を拡張するために）を生成する。したがって、吸気の感知圧力は、陽圧（機械換気）または負圧（自発的吸気）のいずれであってもスパークを引き起こすことができる。いくつかの例では、熱線式風速計または呼吸流量計が、呼吸のタイミングおよび体積を感知することができる。
【００５６】
いくつかの例では、抵抗器（例えば、水銀式ひずみゲージ）またはインピーダンス・センサを含む環状胸部ベルトが、胸部（または腹部）の膨張を感知することができ、それによって、吸気の開始時にＮＯを生成するためにスパークを引き起こす。ある場合には、患者が人工呼吸器を装着している場合、機械的人工呼吸器または換気装置が、合成電気の気管切開または気管内パルスを引き起こすことができて、換気装置の開始に時間を合わせたスパークによって（換気装置が吸気のタイミング、一回呼吸量、および吸気酸素濃度を知ることができるので）、必要な量のＮＯを生成することができる。
【００５７】
呼吸センサ２０８が温度を測定しない場合、呼吸センサ２０８は、吸気または呼気が発生する時を検出するように構成され得る。呼吸センサ２０８は、吸気と呼気とを区別することも可能である。例えば、呼吸センサ２０８は、呼吸センサ２０８を通過する空気の気流方向を検出することができて、空気が吸気か、または呼気かのいずれであるかを決定することができる。
【００５８】
ＮＯ発生器２００（および図２ＢのＮＯ発生器マスク２２０）を用いて達成される結果を本明細書に説明する。
【００５９】
図６Ａは、ＮＯ発生器２００について、平均電流および平均電圧対スパーク／秒を示す平均電流および平均電圧のグラフ６００である。図６Ｂは、ＮＯ発生器２００について、平均電力対スパーク／秒を示す平均電力のグラフ６０２である。平均電流および平均電力は、０．５〜２スパーク／秒でピークに達し、平均電圧は、同じ範囲に亘って一時的に低下する。図７Ａは、１スパーク／秒放電の２スパーク間の電圧（上方のトレース）および電流（下方のトレース）についてのオシロスコープトレース７００を示す。図７Ｂは、２７ミリ秒のスパーク持続時間（単一のスパーク）による、１スパーク／秒放電についての電圧（上方のトレース）および電流（下方のトレース）についてのオシロスコープトレース７０２を示す。
【００６０】
動物試験１
約３２Ｋｇの体重の４頭の子羊が試験された。全身麻酔が、酸素内に５％の吸入イソフルラン（イリノイ州、Ｄｅｅｒｆｉｅｌｄ、Ｂａｘｔｅｒ、１−クロロ−２、２、２−トリフルオロエチルジフルオロメチルエーテル）でマスクを介して導入され、次いで０．４０の最初の吸入酸素濃度（ＦｉＯ2）で１〜４％のイソフルランで維持された。気管挿管の後、動物は留置式頸動脈および肺動脈スワンガンツカテーテルを取り付けられた。すべての血流力学測定が、麻酔下の子羊の体内で実施された。すべての子羊が、一回呼吸量４００ｍｌおよび速度１２呼吸／分で、機械換気装置（カリフォルニア州、Ｐｌｅａｓａｎｔｏｎ、Ｐｕｒｉｔａｎ  Ｂｅｎｎｅｔｔ、７２００型）によって換気された。
【００６１】
肺高血圧症を誘導するために、エンドペルオキシド・プロスタグランジンＨ２の類似物である、有力な肺血管収縮薬Ｕ４６６１９（ミシガン州、Ａｎｎ  Ａｒｂｏｒ、Ｃａｙｍａｎ  Ｃｈｅｍｉｃａｌ）が、０．８〜０．９μｇ／ｋｇ／分の速度で静脈内に注入されて、平均肺動脈圧（ＰＡＰ）を３０ｍｍＨｇまで上昇させた。
【００６２】
放電によって生成される一酸化窒素（ＮＯ）の肺血管拡張効果を試験するために、ミニスパークプラグまたはイリジウムスパークプラグが、羊の換気装置の吸気導管内に配置されたが、一方、気道ガス流測定結果が、ソフトウェア（コネチカット州、Ｗａｌｌｉｎｇｆｏｒｄ、ＮＩＣＯ  Ｒｅｓｐｉｒｏｎｉｃｓ）によって測定されて、吸気、呼気及び各機械呼吸の一回呼吸量を決定した。スパークプラグの電極が、図３を参照して説明するように、一連のスパークを生成した。いくつかの試験では、スパークは、呼吸サイクル全体で連続的に生成された（連続的スパーク）。他の試験では、スパークは、吸気と共に、または吸気が開始したすぐ前に開始する各呼吸で生成された（０．８秒／呼吸、１２〜１５呼吸／分についての断続的スパーク）。このことは、呼吸の呼気相中にＮＯ生成の浪費を避けるために実施された。
【００６３】
図８は、様々な電極材料を使用して、ＮＯ発生器（例えば、図１のＮＯ発生器１０２）からのＮＯおよびＮＯ2濃度を示す。試験状態には、１／４インチのロッド、２．０ｍｍの電極空隙、５Ｌ／分の一定空気流量、および０．２１の吸入酸素濃度（ＦｉＯ2）が含まれた。タングステン電極について、Ｂ＝４０毎秒パルス群、Ｎ＝３０パルス群ごとのスパーク、Ｐ＝１００マイクロ秒、およびＨ＝２０マイクロ秒である。ニッケル電極について、Ｂ＝３５毎秒パルス群、Ｎ＝４０パルス群ごとのスパーク、Ｈ＝１８０マイクロ秒、およびＰ＝７０マイクロ秒である。イリジウム電極について、Ｂ＝３５毎秒パルス群、Ｎ＝４０パルス群ごとのスパーク、Ｈ＝１８０マイクロ秒、およびＰ＝８０マイクロ秒である。
【００６４】
図９は、連続的スパークでミニスパークプラグ（ワシントン州、Ｂｅｎｔｏｎ  Ｃｉｔｙ、Ｒｉｍｆｉｒｅ、６ｍｍＨＥＸおよび１０−４０ＴＨＲＤのＭｉｃｒｏ  Ｖｉｐｅｒ  Ｚ３）を使用して、ＮＯ発生器から、様々な反応ガス酸素濃度でのＮＯおよびＮＯ2濃度を示す。
【００６５】
図１０は、連続的スパークでイリジウムスパークプラグ（マサチューセッツ州、Ｗａｌｔｈａｍ、ＡＣＤｅｌｃｏ  ４１−１０１）を使用して、ＮＯ発生器から、様々な反応ガス酸素濃度でのＮＯおよびＮＯ2濃度を示す。
【００６６】
図１１は、断続的スパークでイリジウムスパークプラグを使用して、ＮＯ発生器から、様々な反応ガス酸素濃度でのＮＯおよびＮＯ2濃度を示す。
【００６７】
オゾン（Ｏ3）は、酸化に関して多くの工業用途および民生用途を有する強力な酸化体である。しかし、オゾンの酸化潜在力は高く、オゾンは動物の粘液膜および呼吸組織、更に植物の繊維にも損傷を与える有毒ガスである。このことによってオゾンは、潜在的に呼吸器有害性、および地表レベル付近の汚染物質となる。オゾンは、大気放電から形成され、ＮＯと反応して二酸化窒素（ＮＯ2）およびＯ2を形成し、またはＮ2と反応してＮＯおよびＯ2を生成する。いくつかの例では、オゾンレベルは、連続的スパークの方が断続的スパークよりもより大きく、Ｏ2濃度の上昇と共にやはり増加する。
【００６８】
図１２は、連続的スパークによって、ミニスパークプラグおよびイリジウムプラグを使用して、様々なＯ2濃度でのＯ3レベルを示す。この例では、Ｂ＝６０毎秒パルス群、Ｎ＝５０パルス群ごとのスパーク、Ｐ＝１４０マイクロ秒、およびＨ＝４０マイクロ秒、および空気流量５Ｌ／分である。
【００６９】
図１３は、吸気から開始する、または吸気が開始した直前に各呼吸で引き起こされる断続的スパークを含むミニスパークプラグおよびイリジウムスパークプラグを使用して、様々なＯ2濃度でのＯ3レベルを示す。この例では、Ｂ＝６０毎秒パルス群、Ｎ＝５０パルス群ごとのスパーク、Ｐ＝１４０マイクロ秒、およびＨ＝４０マイクロ秒、および空気流量５Ｌ／分である。
【００７０】
図１４は、連続的スパークによって、ミニスパークプラグおよびイリジウムプラグを使用して、様々なＯ2濃度でのＯ3レベルを示す。この例では、Ｂ＝３５毎秒パルス群、Ｎ＝２５パルス群ごとのスパーク、Ｐ＝２４０マイクロ秒、およびＨ＝１００マイクロ秒、および空気流量は５Ｌ／分である。
【００７１】
図１５は、吸気から開始する、または吸気が開始した直前に各呼吸で引き起こされる断続的スパークを含むミニスパークプラグおよびイリジウムスパークプラグを使用して、様々なＯ2濃度でのＯ3レベルを示す。この例では、Ｂ＝３５毎秒パルス群、Ｎ＝２５パルス群ごとのスパーク、Ｐ＝２４０マイクロ秒、およびＨ＝１００マイクロ秒、および空気流量は５Ｌ／分である。
【００７２】
図１６は、酸素濃縮器を使用して、様々な反応ガス酸素濃度で、ＮＯ濃度およびＯ2濃度を示す。この例では、Ｂ＝５毎秒パルス群、Ｎ＝２５パルス群ごとのスパーク、Ｐ＝２００マイクロ秒、およびＨ＝６０マイクロ秒、および空気流量は５Ｌ／分である。
【００７３】
図１７は、Ｕ４６６１９の注入期間中の平均肺動脈圧（ＰＡＰ）を示す図である。基準値で、Ｕ４６６１９の注入が開始される前に、ＰＡＰは１４ｍｍＨｇであった。３０分を超える注入で、平均ＰＡＰが２８ｍｍＨｇに増加した。ＰＡＰが安定した後、スパークが、各吸気の開始で４分間生成された。４分間に亘って、ＰＡＰは重要なことに２２ｍｍＨｇまで減少した。スパークの終了後、４分間待つと、平均ＰＡＰが再び２８ｍｍＨｇまで上昇した。この例では、Ｂ＝６０毎秒パルス群、Ｎ＝１００パルス群ごとのスパーク、Ｐ＝１４０マイクロ秒、およびＨ＝１７マイクロ秒、および一回呼吸量（Ｖｔ）＝４００ｍｌである。
【００７４】
図１８は、イリジウムスパークプラグを使用して、吸気流によって引き起こされる断続的スパークを生成する間に様々なＦｉＯ2でＮＯ濃度およびＮＯ2濃度を示す。
【００７５】
図１９は、断続的スパークの生成前または生成後に、Ｕ４６６１９の注入中に様々なＦｉＯ2レベルで平均ＰＡＰを示す。これら例では、Ｂ＝３５毎秒パルス群、Ｎ＝２５パルス群ごとのスパーク、Ｐ＝２４０マイクロ秒、Ｈ＝１００マイクロ秒、およびＶｔ＝４００ｍｌである。
【００７６】
図２０は、イリジウムスパークプラグを使用して、吸気流によって引き起こされる連続的スパークを生成する間に様々なＦｉＯ2レベルでＮＯ濃度およびＮＯ2濃度を示す。図２１は、連続的スパークの生成前または生成後に、Ｕ４６６１９の注入中に様々なＦｉＯ2レベルでＰＡＰを示す。これら例では、Ｂ＝３５毎秒パルス群、Ｎ＝２５パルス群ごとのスパーク、Ｐ＝２４０マイクロ秒、Ｈ＝１００マイクロ秒、およびＶｔ＝４００ｍｌである。
【００７７】
いくつかの追加例では、より小さい呼吸のサイズは、スパーク合成されるＮＯの希釈が減少するので、より高いレベルのＮＯを生成する。図２２は、イリジウムスパークプラグを使用して、吸気流によって引き起こされるスパークでＮＯ生成前および生成後、Ｕ４６６１９の注入中に様々なＶｔ（呼吸一回呼吸量レベル）で平均ＰＡＰを示す。図２３は、様々なレベルの一回呼吸量（Ｖｔ）で子羊の体内のＮＯ濃度およびＮＯ2濃度を示す。これらの例では、Ｂ＝３５毎秒パルス群、Ｎ＝２５パルス群ごとのスパーク、Ｐ＝２４０マイクロ秒、Ｈ＝１００マイクロ秒、およびＦｉＯ2＝０．２１である。
【００７８】
図２４は、様々な大気圧で低圧室２４００の中のＮＯレベルおよびＮＯ2レベルを測定するためのテスト設定を示す。試験の結果は、図２５に示されている。低圧室２４００内部に負圧を生成するために（例えば、１／２ＡＴＡ、１／３ＡＴＡ）、入口弁および出口弁が閉鎖され、ピストンがスパークプラグから離れて並進した。次いで、スパークプラグは、３０秒間点火された。この例では、Ｂ＝１００毎秒パルス群、Ｎ＝１０パルス群ごとのスパーク、Ｐ＝１４０マイクロ秒、およびＨ＝１０マイクロ秒である。次いで、ピストンはスパークプラグに向かって並進されて、低圧室２４００内の圧力を１ＡＴＡに戻した。出口弁が開かれ、ピストンをスパークプラグに向かってさらに並進することによって、ガス試料が３Ｌの呼吸バッグ内に収集された。収集されたガス試料は、収集後に直ちにＳｉｅｖｅｒｓ  ＮＯＡ  ｉ２８０を用いて分析された。
【００７９】
動物試験２
ミニスパークプラグ（ワシントン州、Ｂｅｎｔｏｎ市、Ｒｉｍｆｉｒｅの６ｍｍＨＥＸを含むＭｉｃｒｏ  Ｖｉｐｅｒ  Ｚ３および１０−４０ＴＨＲＤ）が、羊＃１の気道内に設置された。ミニスパークプラグは、吸気時に吸気ガス温度の変化を測定した呼吸センサによって引き起こされた。ミニスパークプラグの電極が、図３を参照して説明するように、一連のスパークを生成した。
【００８０】
図２６は、一定期間Ｕ４６６１９の注入中のＰＡＰを示す。Ｕ４６６１９は、１８ｍｌ／時の速度、５０μｇ／ｍｌの濃度でＩＶ注入された。基準値で、平均ＰＡＰが１３ｍｍＨｇであった。３０分を超える注入で、平均ＰＡＰが２８ｍｍＨｇに増加した。
【００８１】
図２７は、羊がタンクから４０ｐｐｍの濃度のＮＯを呼吸している間の平均ＰＡＰを示す。平均ＰＡＰは、２分後１８ｍｍＨｇまで減少した。
【００８２】
図２８は、吸気呼吸によって引き起こされたスパーク中の平均ＰＡＰを示す（例えば、吸気時にＮＩＣＯ呼吸センサによって引き起こされた）。この例では、Ｂ＝１毎秒パルス群、Ｎ＝７０パルス群ごとのスパーク、Ｐ＝１４０マイクロ秒、およびＨ＝４０マイクロ秒である。２００ｍｌ／分の生体外で、化学発光法によって測定されたＮＯ濃度が２５ｐｐｍであった。
【００８３】
図２９は、連続的スパーク中の平均ＰＡＰを示す。この例では、Ｂ＝１毎秒パルス群、Ｎ＝４０７パルス群ごとのスパーク、Ｐ＝１４０マイクロ秒、およびＨ＝４０マイクロ秒である。２００ｍｌ／分の生体外で、ＮＯ濃度が１２５ｐｐｍであった。
【００８４】
図３０に図示するように、ミニスパークプラグが羊＃２’の気道内に設置された。ミニスパークプラグは、吸気時に吸気ガス温度の変化を測定した呼吸センサによって引き起こされた。ミニスパークプラグの電極が、図３を参照して説明するように、一連のスパークを生成した。
【００８５】
図３１は、一定期間Ｕ４６６１９の注入中の平均ＰＡＰを示す。Ｕ４６６１９が、５０μｇ／ｍｌで、１８ｍｌ／時で注入された。基準値で、平均ＰＡＰが１２ｍｍＨｇであった。３０分を超える注入で、平均ＰＡＰが２７ｍｍＨｇに増加した。
【００８６】
図３２は、羊がシリンダから搬送された４０ｐｐｍの固定濃度のＮＯを呼吸している間の平均ＰＡＰを示す。平均ＰＡＰは、２分後１５ｍｍＨｇまで減少した。
【００８７】
図３３は、流量制御装置を用いて、吸気呼吸によって引き起こされたスパーク中の平均ＰＡＰを示す（例えば、吸気時にＮＩＣＯ呼吸センサによって引き起こされた）。この例では、Ｂ＝６０毎秒パルス群、Ｎ＝１００パルス群ごとのスパーク、Ｐ＝１４０マイクロ秒、およびＨ＝１７マイクロ秒である。
【００８８】
ベンチテスト
図３４は、羊の気道シミュレータを用いて、呼吸によって引き起こされるマイクロスパークプラグ（流量制御された、ＮＩＣＯモニタ）を使用するベンチテスト設定を示す。
【００８９】
図３５は、様々な状態下で回路間隙（図３６参照）を含む修正されたミニスパークプラグを使用して、１Ｌ／分の一定反応ガス流量下でＮＯ生成を示す図である。この例では、Ｈは１０から１７まで増加した。空気中の連続的スパークが、ＮＯの大半の量（すなわち、約２５０ｐｐｍ）を生成した。ミニスパークプラグのタングステン電極が、電極間隙を０．４ｍｍ〜１．１ｍｍに増加させる修正中に取り外された。
【００９０】
図３７を参照すると、流れ図３７００が、制御装置（例えば、図２Ａに示す制御装置２１０）の作動の配置を示す。典型的には、作動は、制御装置の中に存在するプロセッサによって実行される。しかし、作動は制御装置内に存在する複数のプロセッサによって実行される可能性もある。典型的には単一の制御装置によって実行されるが、いくつかの配置では、作動の実施が２つ以上の制御装置の間で分配されることが可能である。
【００９１】
作動は、呼吸システムに付随する１つまたはそれ以上のトリガイベントに関連する情報を収集すること３７０２を含む。例えば、図２Ａの呼吸センサ２０８は、呼吸システムに付随する１つまたはそれ以上のトリガイベントに関連する情報を収集することができる。情報は、吸気の開始時および吸気の一回呼吸量を含むことができる（例えば、ＮＩＣＯ装置、熱線式風速計、呼吸流量計などから得られる）。トリガイベントは、吸気であることができる。作動は、収集された情報に基づいて、１つまたはそれ以上の制御パラメータを決定すること３７０４を更に含む。例えば、図２Ａの制御装置２１０は、１つまたはそれ以上の制御パラメータを決定することができる。制御パラメータは、パルス列を生成することができる。作動は、決定された制御パラメータに基づいて一酸化窒素を発生するために、患者の外部に一連の電気アークを起動すること３７０６を更に含む。例えば、図２Ａの電極２０６は、決定された制御パラメータに基づいて一酸化窒素を発生するために、一連の電気アークを起動することができる。制御パラメータは、一連の電気アークのタイミングを制御することができる。
【００９２】
図３８は、本明細書に説明する操作および技術を実施するために使用され得る例のコンピュータデバイス３８００および例のモバイルコンピュータデバイス３８５０の例を示す。例えば、制御装置１１０（図１に参照）、制御装置２１０（図２Ａ参照）、制御装置２３２（図２Ｃ参照）、または制御装置２６６（図２Ｄ参照）の部分またはすべてが、コンピュータデバイス３８００および／またはモバイルコンピュータデバイス３８５０によって実行され得る。コンピュータデバイス３８００は、デジタルコンピュータの様々な形態を代表すると意図され、例えば、ラップトップ、デスクトップ、ワークステーション、パーソナルデジタルアシスタント、サーバ、ブレードサーバ、メインフレームおよび他の適切なコンピュータを含む。コンピュータデバイス３８５０は、モバイルデバイスの様々な形態を代表すると意図され、例えば、パーソナルデジタルアシスタント、タブレットコンピュータデバイス、携帯電話、スマートフォンおよび他の類似のコンピュータデバイスを含む。本明細書に示す構成要素は、それらの接続および関係、ならびにそれらの機能は、例に過ぎないであると意図され、本文献の中で説明され、および／または特許請求される技術の実施を限定するようには意図されるのではない。
【００９３】
コンピュータデバイス３８００は、プロセッサ３８０２、メモリ３８０４、記憶装置３８０６、メモリ３８０４および高速拡張ポート３８１０に接続されている高速インターフェース３８０８、ならびに低速バス３８１４および記憶装置３８０６に接続されている低速インターフェース３８１２を含む。各構成要素３８０２、３８０４、３８０６、３８０８、３８１０および３８１２は、様々なバスを使用して相互接続され、共通のマザーボード上に、または適切な他の様式で実装され得る。プロセッサ３８０２は、メモリ３８０４内または記憶装置３８０６上に記憶されている命令を含む、コンピュータデバイス３８００内部で実行するための命令を処理することができて、例えば、高速インターフェース３８０８に接続されているディスプレイ３８１６を含む外部入力／出力装置上のＧＵＩのためのグラフィカルデータを表示することができる。別の実施では、必要に応じて、複数のメモリおよび複数の種類のメモリと共に、複数のプロセッサおよび／またはそれ以上のバスが使用可能である。更に、複数のコンピュータデバイス３８００が、必要な操作の部分を提供する各装置（例えば、サーババンクの１つ、ブレードサーバの１グループ、またはマルチプロセッサシステムの１つとして）に接続され得る。
【００９４】
メモリ３８０４は、コンピュータデバイス３８００内のデータを記憶する。一実施では、メモリ３８０４は、１つまたはそれ以上の揮発性メモリユニットである。別の実施では、メモリ３８０４は、１つまたはそれ以上の不揮発性メモリユニットである。メモリ３８０４は、例えば、磁気ディスクまたは光ディスクを含む、コンピュータ可読媒体の別の形態であることも可能である。
【００９５】
記憶装置３８０６は、コンピュータデバイス３８００のための大容量記憶装置を提供することができる。一実施では、記憶装置３８０６は、例えば、フロッピー（登録商標）ディスク装置、ハードディスク装置、光ディスク装置またはテープ装置、フラッシュメモリまたは他の類似の固体記憶装置、あるいはストレージエリアネットワークまたは他の構成の中の装置を含む装置の列を備えるコンピュータ可読媒体であり、コンピュータ可読媒体を包含することができる。コンピュータプログラム製品は、データ担体の中で明白に具体化され得る。コンピュータプログラム製品は、実行される場合、例えば前述のものを含む、１つまたはそれ以上の方法を実行する命令を更に含むことができる。データ担体は、コンピュータ可読媒体または機械可読媒体であり、例えば、メモリ３８０４、記憶装置３８０６、プロセッサ３８０２上のメモリなどを含む。
【００９６】
高速制御装置３８０８は、コンピュータデバイス３８００のためのバンド幅集約的操作を処理し、一方、低速制御装置３８１２は、低い方のバンド幅集約的操作を処理する。機能のそのような割り当ては、例に過ぎない。一実施では、高速制御装置３８０８は、メモリ３８０４、ディスプレイ３８１６（例えば、グラフィックプロセッサまたはアクセラレータ）、および様々な拡張カード（図示せず）を受け取ることができる高速拡張ポート３８１０に接続される。実施では、低速制御装置３８１２が、記憶装置３８０６および低速拡張ポート３８１４に接続される。様々な通信ポート（例えば、ＵＳＢ、Ｂｌｕｅｔｏｏｔｈ（登録商標）、Ｅｔｈｅｒｎｅｔ（登録商標）、無線Ｅｔｈｅｒｎｅｔ（登録商標））を含むことができる低速拡張ポートが、例えば、キーボード、ポインティングデバイス、スキャナ、または、例えばネットワークアダプタを通って、例えばスイッチまたはルータを含むネットワークデバイスを含む１つまたはそれ以上の入力／出力装置に接続され得る。
【００９７】
コンピュータデバイス３８００は、図面に示すように、複数の異なる形態で実施可能である。例えば、コンピュータデバイス３８００は、標準的サーバ３８２０として実施可能であり、またはそのようなサーバ群の中で複数回実施可能である。コンピュータデバイス３８００は、ラックサーバシステム３８２４の部分として実施可能である。追加的に、または別法として、コンピュータデバイス３８００は、例えば、ラップトップコンピュータ３８２２を含むパーソナルコンピュータの中で実施可能である。いくつかの例では、コンピュータデバイス３８００からの構成要素は、例えばデバイス３８５０を含むモバイルデバイス（図示せず）の中の他の構成要素と組み合わせることができる。そのようなデバイスのそれぞれは、１つまたはそれ以上のコンピュータデバイス３８００、３８５０を含むことができ、全体のシステムは、互いに通信する複数のコンピュータデバイス３８００、３８５０から構成され得る。
【００９８】
コンピュータデバイス３８５０は、いくつかある構成要素の中で特に、プロセッサ３８５２、メモリ３８６４、例えばディスプレイ３８５４を含む入力／出力デバイス、通信インターフェース３８６６、およびトランシーバ３８６８を含む。デバイス３８５０は、さらに記憶容量を増やすために、例えば、マイクロドライブまたは他の装置を含む記憶装置を更に備え付けることができる。各構成要素３８５０、３８５２、３８６４、３８５４、３８６６および３８６８は、様々なバスおよびいくつかの構成要素を使用して相互接続され、共通のマザーボード上に、または適切な他の様式で実装され得る。
【００９９】
プロセッサ３８５２は、メモリ３８６４内に記憶されている命令を含む、コンピュータデバイス３８５０内部の命令を実行することができる。プロセッサは、別個の複数のアナログプロセッサおよびデジタルプロセッサを含むチップのチップセットとして実施可能である。プロセッサは、例えば、デバイス３８５０の他の構成要素の協調を提供することができ、その協調には、例えば、ユーザインターフェースの制御、デバイス３８５０によって実行されるアプリケーションおよびデバイス３８５０による無線通信が含まれる。
【０１００】
プロセッサ３８５２は、制御インターフェース３８５８、およびディスプレイ３８５４に接続されているディスプレイインターフェース３８５６を通してユーザと通信することができる。ディスプレイ３８５４は、例えば、ＴＦＴ  ＬＣＤ（薄膜トランジスタ液晶）またはＯＬＥＤ（有機発光ダイオード）ディスプレイ、または他の適切なディスプレイ技術であることができる。ディスプレイインターフェース３８５６は、グラフィカルデータまたは他のデータをユーザに提示するために、ディスプレイ３８５４を駆動するための適切な回路を備えることができる。制御インターフェース３８５８は、ユーザから命令を受信し、プロセッサ３８５２に投入するためにそれらを変換することができる。加えて、外部インターフェース３８６２は、プロセッサ３８４２と通信して、デバイス３８５０が他のデバイスと近接領域で通信できるようにする。外部インターフェース３８６２は、例えば、いくつかの実施の中で有線通信を提供し、または他の実施では無線通信を提供することができ、更に複数のインターフェースも使用され得る。
【０１０１】
メモリ３８６４は、コンピュータデバイス３８５０内のデータを記憶する。メモリ３８６４は、１つまたはそれ以上のコンピュータ可読媒体、１つまたはそれ以上の揮発性メモリユニット、あるいは１つまたはそれ以上の不揮発性メモリユニットとして実施可能である。拡張メモリ３８７４が、更に提供されることができ、例えばＳＩＭＭ（シングル・インライン・メモリ・モジュール）カードインターフェースを含むことができる拡張インターフェース３８７２を通してデバイス３８５０に接続され得る。そのような拡張メモリ３８７４は、デバイス３８５０のための追加の記憶空間を提供することができ、あるいはデバイス３８５０のためのアプリケーションまたは他のデータを更に記憶することができる。特に、拡張メモリ３８７４は、前述の処理を実行し、補足するための命令を含むことができ、またはセキュアデータを更に含むことができる。したがって、例えば、拡張メモリ３８７４は、デバイス３８５０のためのセキュリティモジュールとして提供されることができ、デバイス３８５０の安全な使用を許可する命令をプログラムされることができる。加えて、例えば、安全で、修正できない様式でＳＩＭＭカード上に識別データを配置することなどを含む追加のデータと共に、ＳＩＭＭカードを通して、安全なアプリケーションを提供することができる。
【０１０２】
メモリは、以下に考察するように、例えばフラッシュメモリおよび／または不揮発性ＲＡＭメモリを含むことができる。一実施では、コンピュータプログラム製品は、データ担体の中で明白に具体化される。コンピュータプログラム製品は、実行される場合、例えば前述のものを含む、１つまたはそれ以上の方法を実行する命令を含むことができる。データ担体は、コンピュータ可読媒体または機械可読媒体であり、例えば、メモリ３８６４、拡張メモリ３８７４、および／またはプロセッサ３８５２上のメモリを含み、それらは例えば、トランシーバ３８６８または外部インターフェース３８６２を通して受信され得る。
【０１０３】
デバイス３８５０は、通信インターフェース３８６６を通って無線で通信することができ、通信インターフェース３８６６は、必要である場合、デジタル信号処理回路を含むことができる。通信インターフェース３８６６は、特に、例えば、ＧＳＭ（登録商標）ボイスコール、ＳＭＳ、ＥＭＳ、またはＭＭＳメッセージ、ＣＤＭＡ、ＴＤＭＡ、ＰＤＣ、ＷＣＤＭＡ（登録商標）、ＣＤＭＡ２０００またはＧＰＲＳを含む様々なモードまたはプロトコルの下で通信を提供することができる。そのような通信は、例えば、無線周波トランシーバ３８６８を通して発生することができる。加えて、例えばＢｌｕｅｔｏｏｔｈ（登録商標）、ＷｉＦｉ、または他のそのようなトランシーバ（図示せず）を含む、短距離通信が発生することができる。加えて、ＧＰＳ（全地球測位システム）受信機モジュール３８７０が、追加のナビゲーションおよび位置に関連する無線データをデバイス３８５０に提供することができ、そのデータはデバイス３８５０上で実行するアプリケーションによって適切に使用され得る。カメラ、マイクロフォン、コンパス、アクセラレータ（オリエンテーション検知のための）などのセンサおよびモジュールは、デバイスの中に含まれることができる。
【０１０４】
デバイス３８５０は、ユーザからの会話データを受信し、それを利用可能なデジタルデータに変換することができるオーディオコーデック３８６０を使用して音声で通信することもできる。オーディオコーデック３８６０は、同様に、例えば、デバイス３８５０のハンドセットの中の、例えばスピーカを通してなどを含む、ユーザ向け可聴音を生成することができる。そのような音は、音声通話からの音を含むことができ、記録された音（例えば、音声メッセージ、音楽、ファイルなど）を含むことができ、更に、デバイス３８５０上で操作するアプリケーションによって生成される音を含むことができる。
【０１０５】
コンピュータデバイス３８５０は、図面に示すように、複数の異なる形態で実施可能である。例えば、コンピュータデバイス３８５０は、携帯電話３８８０として実施可能である。コンピュータデバイス３８５０は、スマートフォン３８８２の部分、パーソナルデジタルアシスタント、または他の類似のモバイルデバイスとして実施可能である。
【０１０６】
本明細書に説明するシステムおよび技術の様々な実施は、デジタル電子回路、集積回路、特定用途ＡＳＩＣ（特定用途向け集積回路）、コンピュータハードウェア、ファームウェア、ソフトウェアおよび／またはその組合せの中で実現可能である。これらの様々な実施は、１つまたはそれ以上のプログラム可能なプロセッサを含むプログラム可能なシステム上の実行可能および／または解釈可能である１つまたはそれ以上のコンピュータプログラムの中で実施することを含むことができるが、プログラム可能なプロセッサは、特定目的または多目的であることができ、記憶システム、少なくとも１つの入力装置および少なくとも１つの出力装置からデータおよび命令を受信するために、かつ記憶システム、少なくとも１つの入力装置および少なくとも１つの出力装置へデータおよび命令を送信するために接続されることが可能である。
【０１０７】
これらのコンピュータプログラム（プログラム、ソフトウェア、ソフトウェアアプリケーションまたはコードとしても知られている）は、プログラム可能プロセッサ向けの機械命令を含み、高レベル手順、および／またはオブジェクト指向のプログラミング言語、および／またはアセンブリ／機械言語で実施可能である。本明細書に使用する場合、機械可読媒体およびコンピュータ可読媒体という用語は、プログラム可能なプロセッサに機械命令および／または命令を提供するために使用されるコンピュータプログラム製品、装置および／またはデバイス（例えば、磁気ディスク、光ディスク、メモリ、プログラム可能論理デバイス（ＰＬＤ））を指し、機械命令を受信する機械可読媒体を含む。
【０１０８】
ユーザとのやりとりのため、本明細書に説明するシステムおよび技術は、ユーザにデータを表示するためのディスプレイデバイス（例えば、ＣＲＴ（ブラウン管）またはＬＣＤ（液晶表示）モニタ）、ならびにユーザがコンピュータに入力を提供することができるキーボードおよびポインティングデバイス（例えば、マウスまたはトラックボール）を有するコンピュータ上で実施可能である。他の種類のデバイスもまた、ユーザとのやりとりのために使用可能であり、例えば、ユーザに提供されるフィードバックは、知覚フィードバック（例えば、視覚フィードバック、聴覚フィードバックまたは触覚フィードバック）の形態であることができ、ユーザからの入力は、聴覚、音声または触覚入力を含む形態で受信され得る。
【０１０９】
本明細書に説明するシステムおよび技術は、バックエンド構成要素（例えば、データサーバ）を含む、またはミドルウェア構成要素（例えば、アプリケーションサーバ）を含む、またはフロントエンド構成要素（例えば、ユーザが本明細書に説明するシステムおよび技術の実施とやりとりできるユーザインターフェースまたはＷｅｂブラウザを有するクライアントコンピュータ）またはそのようなバックエンド構成要素、ミドルウェア構成要素またはフロントエンド構成要素の組合せを含むコンピュータシステムの中で実施可能である。システムの構成要素は、デジタルデータ通信（例えば、通信ネットワーク）の形態または媒体によって相互接続され得る。通信ネットワークの例には、ローカルエリアネットワーク（ＬＡＮ）、ワイドエリアネットワーク（ＷＡＮ）およびインターネットが含まれる。
【０１１０】
コンピュータデバイスは、クライアントおよびサーバを含むことができる。クライアントおよびサーバは、一般に互いから離れており、典型的には通信ネットワークを通してやりとりを行う。クライアントおよびサーバの関係は、各コンピュータ上に走り、互いにクライアントーサーバ関係を有するコンピュータプログラムによって発生する。
【０１１１】
いくつかの実施では、本明細書に説明するエンジンが、分離され、組み合わされ、あるいは単一のエンジンまたは組み合わされたエンジンの中に組み込まれることが可能である。図面に示すエンジンは、本明細書に説明するシステムを図面の中に示すソフトウェアアーキテクチャに限定するように意図するものではない。
【図１】
0006689188.tif 000002
【図２Ａ】
0006689188.tif 000003
【図２Ｂ】
0006689188.tif 000004
【図２Ｃ】
0006689188.tif 000005
【図２Ｄ】
0006689188.tif 000006
【図３】
0006689188.tif 000007
【図４】
0006689188.tif 000008
【図５】
0006689188.tif 000009
【図６Ａ】
0006689188.tif 000010
【図６Ｂ】
0006689188.tif 000011
【図７Ａ】
0006689188.tif 000012
【図７Ｂ】
0006689188.tif 000013
【図８】
0006689188.tif 000014
【図９】
0006689188.tif 000015
【図１０】
0006689188.tif 000016
【図１１】
0006689188.tif 000017
【図１２】
0006689188.tif 000018
【図１３】
0006689188.tif 000019
【図１４】
0006689188.tif 000020
【図１５】
0006689188.tif 000021
【図１６】
0006689188.tif 000022
【図１７】
0006689188.tif 000023
【図１８】
0006689188.tif 000024
【図１９】
0006689188.tif 000025
【図２０】
0006689188.tif 000026
【図２１】
0006689188.tif 000027
【図２２】
0006689188.tif 000028
【図２３】
0006689188.tif 000029
【図２４】
0006689188.tif 000030
【図２５】
0006689188.tif 000031
【図２６】
0006689188.tif 000032
【図２７】
0006689188.tif 000033
【図２８】
0006689188.tif 000034
【図２９】
0006689188.tif 000035
【図３０】
0006689188.tif 000036
【図３１】
0006689188.tif 000037
【図３２】
0006689188.tif 000038
【図３３】
0006689188.tif 000039
【図３４】
0006689188.tif 000040
【図３５】
0006689188.tif 000041
【図３６】
0006689188.tif 000042
【図３７】
0006689188.tif 000043
【図３８】
0006689188.tif 000044